(57)【要約】【課題】  シャッターチャンスを逃す機会を減らすことができる撮影装置及びそのプログラムを実現する。【解決手段】  ユーザにより動画撮影モードが設定されると、被写体の動画撮影を開始する。そして、ユーザによりシャッターボタンが押下された場合、又は、動画撮影を開始してから３０秒経過した場合には、バッファメモリに記憶されている動画データをメモリ・カード１２に記録する。  そして、動画撮影モードが継続しており、且つ、ユーザによりシャッターボタンが押下された場合は動画撮影処理を開始する。そして、ユーザによりシャッターボタンが押下された場合、又は、動画撮影を開始してから３０秒経過した場合には、バッファメモリに記憶されている動画データをメモリ・カード１２に記録する。この動作を、動画撮影モードが継続している限り繰り返す。【選択図】  図２            
2005223557.tif 000002
【特許請求の範囲】
【請求項１】
被写体を撮影する撮影手段と、
前記撮影手段により得られた画像データを記録する記録手段と、
ユーザが撮影モードを設定するモード設定手段と、
ユーザが撮影の開始を指示するための撮影指示手段と、
前記モード設定手段により設定された撮影モード下で前記撮影指示手段により
撮影の開始が指示された場合、前記撮影手段により得られた画像データを前記記録手段に記録する第１の記録制御手段と、
前記モード設定手段により撮影モードが設定された場合、前記撮影手段により得られた画像データを前記記録手段に記録する第２の記録制御手段と、
を具備したことを特徴とする撮影装置。
【請求項２】
前記撮影手段により撮影された動画データを記憶手段に記憶する記憶制御手段を具備し、
前記第１の記録制御手段及び第２の記録制御手段は、
前記記憶手段に記憶された画像データを前記記録手段に記録することを特徴とする請求項１記載の撮影装置。
【請求項３】
前記モード設定手段により静止画撮影モードに設定された場合、前記撮影手段に静止画撮影を実行させる第１の撮影制御手段と、
前記モード設定手段により設定された静止画撮影モード下で前記撮影指示手段により撮影の開始が指示された場合、前記撮影手段に静止画撮影を実行させる第２の撮影制御手段とを備え、
前記第２の記録制御手段は、
前記第１の撮影制御手段により得られた静止画データを前記記録手段に記録し、
前記第１の記録制御手段は、
前記第２の撮影制御手段により得られた静止画データを前記記録手段に記録することを特徴とする請求項１又は２記載の撮影装置。
【請求項４】
前記モード設定手段により動画撮影モードに設定された場合、前記撮影手段に動画撮影を開始させる撮影制御手段を備え、
前記第２の記録制御手段は、
前記モード設定手段により動画撮影モードに設定された場合、前記撮影制御手段により得られた動画データを前記記録手段に記録し、
前記第１の記録制御手段は、
前記モード設定手段により設定された動画撮影モード下で前記撮影指示手段により撮影の開始が指示された場合、前記撮影制御手段により得られた動画データを前記記録手段に記録することを特徴とする請求項１又は２記載の撮影装置。
【請求項５】
被写体を撮影する撮影手段と、
前記撮影手段により得られた画像データを記憶する記憶手段と、
前記記憶手段に記憶されている画像データを記録する記録手段と、
ユーザが撮影モードを設定するモード設定手段と、
ユーザが撮影の開始を指示するための撮影指示手段と、
前記モード設定手段により撮影モードが設定された場合、前記撮影手段により得られた画像データを前記記憶手段に記憶する記憶制御手段と、
前記モード設定手段により設定された撮影モード下で前記撮影指示手段により
撮影の開始が指示された場合、前記記憶手段に記憶されている画像データを前記記録手段に記録する記録制御手段と、
を具備したことを特徴とする撮影装置。
【請求項６】
前記記憶制御手段は、
前記撮影手段により得られた画像データが前記記憶手段の記憶容量一杯に記憶された場合、
前記撮影手段により新に得られた画像データを、前記記憶手段に記憶された画像データの中で古い画像データから順に上書きをして記憶することを特徴とする請求項５記載の撮影装置。
【請求項７】
前記記憶制御手段は、
前記モード設定手段により設定された撮影モード下で前記撮影指示手段により撮影を開始する指示があった場合、前記撮影手段により新に得られた画像データを、該指示の際に前記記憶手段に記憶されている画像データの中で予め定められた画像データに対して上書きを禁止する禁止手段を備えたことを特徴とする請求項６記載の撮影装置。
【請求項８】
ユーザが撮影の終了を指示するための終了指示手段を具備し、
前記記録制御手段は、
前記終了指示手段により撮影を終了する指示があった場合に、前記記憶手段に記録されている画像データを前記記録手段に記録することを特徴とする請求項７記載の撮影装置。
【請求項９】
前記記録制御手段は、
前記撮影手段により新に得られた画像データを、前記禁止手段により上書きの禁止がされていないすべての画像データに対して上書きをした場合、前記記憶手段に記憶されている画像データを前記記録手段に記録することをと特徴とする請求項７又は８記載の撮影装置。
【請求項１０】
撮影モードを設定するモード設定処理と、
前記モード設定処理により撮影モードが設定された場合、被写体を撮影する撮影処理により得られた画像データを記録媒体に記録する処理と、
前記モード設定処理により設定された撮影モード下で撮影の開始を指示する撮影指示処理と、
前記撮影指示処理により撮影の開始が指示された場合、前記撮影処理により得られた画像データを前記記録媒体に記録する処理と、
を含み、上記各処理をコンピュータで実行させることを特徴とするプログラム。
【発明の詳細な説明】
【技術分野】
【０００１】
本発明は、撮影装置及びそのプログラムに係り、詳しくは、撮影モードを選択した瞬間から被写体を撮影することができる撮影装置及びそのプログラムに関する。
【背景技術】
【０００２】
近年、技術の発達により動画データを撮影することができるデジタルカメラが普及してきている。このデジタルカメラでは、静止画撮影モード、動画撮影モードという撮影モードをユーザに選択させ、該選択された撮影モードにより被写体を撮影するというものである。つまり、静止画撮影モードを選択した場合には静止画の画像を撮影することができ、動画撮影モードを選択した場合にはムービー撮影を行うことができる。
【０００３】
また、下記特許公開公報には、デジタルカメラなる発明が開示されている。詳しくは、撮影された画像データを選択された撮影モード（静止画撮影モード、動画撮影モード等）毎に異なるフォルダに記録することにより、画像ファイルの検索を迅速にしたデジタルカメラが記載されている。
【０００４】
【特許文献１】公開特許公報  特開平２００３−２０９７２５（段落「００１３」〜段落「００１４」参照）
【発明の開示】
【発明が解決しようとする課題】
【０００５】
しかしながら、従来のデジタルカメラ等にあっては、撮影モードをユーザが設定し、且つ、シャッターボタンを操作してから、静止画、動画等の撮影を行うので、ユーザが撮影モードの設定、シャッターボタンの操作をどんなに急いで行ったとしても、ある程度の時間を要し、シャッターチャンスを逃す機会が多分にあった。
また、シャッターチャンスは、一度逃してしまうと二度とやってこないケースが多いため、ユーザは所望する画像を撮影することができず、満足する画像を撮影することができないという問題点もあった。
また、このような問題点は、上記した特許文献に記載の技術でも解決することができるというものではなかった。
【０００６】
そこで本発明は、かかる従来の問題点に鑑みてなされたものであり、シャッターチャンスを逃す機会を減らすことができる撮影装置及びそのプログラムを提供することを目的とする。
【課題を解決するための手段】
【０００７】
上記目的達成のため、請求項１記載の発明による撮影装置は、被写体を撮影する撮影手段と、
前記撮影手段により得られた画像データを記録する記録手段と、
ユーザが撮影モードを設定するモード設定手段と、
ユーザが撮影の開始を指示するための撮影指示手段と、
前記モード設定手段により設定された撮影モード下で前記撮影指示手段により
撮影の開始が指示された場合、前記撮影手段により得られた画像データを前記記録手段に記録する第１の記録制御手段と、
前記モード設定手段により撮影モードが設定された場合、前記撮影手段により得られた画像データを前記記録手段に記録する第２の記録制御手段と、
を具備したことを特徴とする。
【０００８】
また、例えば、請求項２に記載されているように、前記撮影手段により撮影された動画データを記憶手段に記憶する記憶制御手段を具備し、
前記第１の記録制御手段及び第２の記録制御手段は、
前記記憶手段に記憶された画像データを前記記録手段に記録するようにしてもよい。
【０００９】
また、例えば、請求項３に記載されているように、前記モード設定手段により静止画撮影モードに設定された場合、前記撮影手段に静止画撮影を実行させる第１の撮影制御手段と、
前記モード設定手段により設定された静止画撮影モード下で前記撮影指示手段により撮影の開始が指示された場合、前記撮影手段に静止画撮影を実行させる第２の撮影制御手段とを備え、
前記第２の記録制御手段は、
前記第１の撮影制御手段により得られた静止画データを前記記録手段に記録し、
前記第１の記録制御手段は、
前記第２の撮影制御手段により得られた静止画データを前記記録手段に記録するようにしてもよい。
【００１０】
また、例えば、請求項４に記載されているように、前記モード設定手段により動画撮影モードに設定された場合、前記撮影手段に動画撮影を開始させる撮影制御手段を備え、
前記第２の記録制御手段は、
前記モード設定手段により動画撮影モードに設定された場合、前記撮影制御手段により得られた動画データを前記記録手段に記録し、
前記第１の記録制御手段は、
前記モード設定手段により設定された動画撮影モード下で前記撮影指示手段により撮影の開始が指示された場合、前記撮影制御手段により得られた動画データを前記記録手段に記録するようにしてもよい。
【００１１】
上記目的達成のため、請求項５記載の発明による撮影装置は、被写体を撮影する撮影手段と、
前記撮影手段により得られた画像データを記憶する記憶手段と、
前記記憶手段に記憶されている画像データを記録する記録手段と、
ユーザが撮影モードを設定するモード設定手段と、
ユーザが撮影の開始を指示するための撮影指示手段と、
前記モード設定手段により撮影モードが設定された場合、前記撮影手段により得られた画像データを前記記憶手段に記憶する記憶制御手段と、
前記モード設定手段により設定された撮影モード下で前記撮影指示手段により
撮影の開始が指示された場合、前記記憶手段に記憶されている画像データを前記記録手段に記録する記録制御手段と、
を具備したことを特徴とする。
【００１２】
また、例えば、請求項６に記載されているように、前記記憶制御手段は、
前記撮影手段により得られた画像データが前記記憶手段の記憶容量一杯に記憶された場合、
前記撮影手段により新に得られた画像データを、前記記憶手段に記憶された画像データの中で古い画像データから順に上書きをして記憶するようにしてもよい。
【００１３】
また、例えば、請求項７に記載されているように、前記記憶制御手段は、
前記モード設定手段により設定された撮影モード下で前記撮影指示手段により撮影を開始する指示があった場合、前記撮影手段により新に得られた画像データを、該指示の際に前記記憶手段に記憶されている画像データの中で予め定められた画像データに対して上書きを禁止する禁止手段を備えるようにしてもよい。
【００１４】
また、例えば、請求項８に記載されているように、ユーザが撮影の終了を指示するための終了指示手段を具備し、
前記記録制御手段は、
前記終了指示手段により撮影を終了する指示があった場合に、前記記憶手段に記録されている画像データを前記記録手段に記録するようにしてもよい。
また、例えば、請求項９に記載されているように、前記記録制御手段は、
前記撮影手段により新に得られた画像データを、前記禁止手段により上書きの禁止がされていないすべての画像データに対して上書きをした場合、前記記憶手段に記憶されている画像データを前記記録手段に記録するようにしてもよい。
【００１５】
上記目的達成のため、請求項１０記載の発明によるプログラムは、撮影モードを設定するモード設定処理と、
前記モード設定処理により撮影モードが設定された場合、被写体を撮影する撮影処理により得られた画像データを記録媒体に記録する処理と、
前記モード設定処理により設定された撮影モード下で撮影の開始を指示する撮影指示処理と、
前記撮影指示処理により撮影の開始が指示された場合、前記撮影処理により得られた画像データを前記記録媒体に記録する処理と、
を含み、上記各処理をコンピュータで実行させることを特徴とする。
【発明の効果】
【００１６】
請求項１記載の発明によれば、撮影モードが設定されると、撮影手段により得られた画像データを記録手段に記録するので、シャッターチャンスを逃すことなく、被写体を撮影することができ、ユーザが満足のいく撮影を行うことができる。
請求項２記載の発明によれば、撮影された画像データを記憶手段に記憶してから記録手段に記録するので、撮影処理が早くなる。
【００１７】
請求項３記載の発明によれば、静止画撮影モードに設定すると、直ちに静止画撮影を開始して得られた静止画データを記録するので、シャッターチャンスを逃すことなく、決定的瞬間の画像を撮影することができ、ユーザが満足のいく撮影を行うことができる。
請求項４記載の発明によれば、動画撮影モードに設定された場合、直ちに動画撮影を開始して得られた動画データを記録するので、シャッターチャンスを逃すことなく、ユーザが満足のいく動画を撮影することができる。
請求項５記載の発明によれば、撮影モードが設定されると撮影された画像データを記憶手段に記憶し、撮影の開始の指示があると該記憶手段に記憶されている画像データを記憶するので、シャッターチャンスを逃すことなく、ユーザの満足のいく画像を撮影することができる。
【００１８】
請求項６記載の発明によれば、動画撮影により得られた画像データが記憶手段の記憶容量一杯に記憶された場合は、新に撮影された画像データを該画像データの中で古い画像データから順に上書きをして記憶していくので、ユーザは予め動画撮影を行うことにより、シャッターチャンスを逃すことなく、ユーザの満足のいく動画を撮影することができる。
【００１９】
請求項７記載の発明によれば、撮影を開始する指示があった場合は、撮影手段により新に得られた画像データを、記憶手段に記憶されている画像データの中で予め定められた画像データ（撮影時刻の新しい画像データ）に対して上書きを禁止するので、シャッターチャンスを逃すことなく、ユーザが満足のいく撮影を行うことができる。
【００２０】
請求項８記載の発明によれば、撮影の終了する指示があった場合は、撮影された画像データを記録するので、シャッターチャンスを逃すことなく、ユーザの満足のいく撮影を行うことができる。
【００２１】
請求項９記載の発明によれば、撮影手段により新に得られた画像データを、上書きの禁止がされていないすべての画像データに対して上書きをした場合、前記記憶手段に記憶されている画像データを記録手段に記録するので、シャッターチャンスを逃すことなく、ユーザの満足のいく撮影を行うことができる。
また、上書きを行っていない画像データ（予め定められた画像データ）を有効活用することができる。
【００２２】
請求項１０記載の発明によれば、既存のデジタルカメラ、パソコン等に読み込ませることにより、本発明の撮影装置を実現することができる。
【発明を実施するための最良の形態】
【００２３】
以下、本実施の形態について、図面を参照して詳細に説明する。
[第１の実施の形態]
Ａ．デジタルカメラの構成
図１は、本発明の撮影装置を実現するデジタルカメラ１の電気的な概略構成を示すブロック図である。
デジタルカメラ１は、ＣＣＤ２、ＤＳＰ／ＣＰＵ３、ＴＧ（timing generator）４、ユニット回路５、ＤＲＡＭ６、フラッシュメモリ７、ＲＯＭ８、キー入力部９、画像表示部１０、カードＩ／Ｆ１１を備えており、カードＩ／Ｆ１１には、図示しないデジタルカメラ１本体のカードスロットに着脱自在に装着されたメモリ・カード１２が接続されている。
【００２４】
ＣＣＤ２は、投影された被写体を光電変換し、撮像信号としてユニット回路５に出力する。また、ＣＣＤ２はＴＧ４によって生成された所定周波数のタイミング信号に従って駆動される。ＴＧ４にはユニット回路５が接続されている。ユニット回路５は、ＣＣＤ２から出力される撮像信号を相関二重サンプリングして保持するＣＤＳ（Correlated Double sampling）回路、その撮像信号を増幅するゲイン調整アンプ（ＡＧＣ）、増幅後の撮像信号をデジタル信号に変換するＡ／Ｄ変換器から構成されており、ＣＣＤ２の出力信号はユニット回路５を経てデジタル信号としてＤＳＰ／ＣＰＵ３に送られる。
【００２５】
画像表示部１０はカラーＬＣＤとその駆動回路を含み、撮影待機状態にあるときにはＣＣＤ２によって撮像された被写体をスルー画像として表示し、記録画像の再生時には、保存用メモリ・カード１２から読み出され伸張された記録画像を表示する。
キー入力部９は、シャッターボタン、実行キー、キャンセルキー、カーソルキー、モード設定キー等の複数の操作キーを含み、ユーザのキー操作に応じた操作信号をＤＳＰ／ＣＰＵ３に出力する。キー入力部９のシャッターボタンは、本発明の撮影指示手段、終了指示手段に相当する。また、モード設定キーは、本発明のモード設定手段に相当する。
ＤＲＡＭ６は、ＣＣＤ２によって撮像された後、デジタル化された被写体の画像データを一時記憶するバッファメモリとして使用されるとともに、ＤＳＰ／ＣＰＵ３にワーキングメモリとしても使用される。ＤＲＡＭ６は、本発明の記憶手段に相当する。
【００２６】
ＤＳＰ／ＣＰＵ３は、画像ファイルの圧縮・伸張の処理を含む各種のデジタル信号処理機能を有するとともに電子カメラ２１の各部を制御するワンチップマイコンである。
特に、ＤＳＰ／ＣＰＵ３は、ユーザのキー入力部９のモード設定キーの操作により撮影モードが設定されると、動画撮影モードに設定されたか否かを判断する。この判断は、動画撮影モードの設定に対応する操作信号がキー入力部９から送られてきたか否かにより判断する。
動画撮影モードに設定されたと判断すると、ＣＣＤ２により、所定のフレームレート（１／３０秒の固定周期）で動画像（動画フレーム）を撮像しバッファメモリ（ＤＲＡＭ６）に記憶する動画撮影処理を開始する。この機能は、本発明の撮影制御手段に相当する。
また、画像データをバッファメモリに記憶する機能は、本発明の記憶制御手段に相当する。
【００２７】
ＤＳＰ／ＣＰＵ３は、動画撮影処理を開始すると、シャッターボタンが押下されたか否かを判断する。この判断は、ユーザがシャッターボタンを押下することにより、その操作に対応する操作信号がキー入力部９から送られてきたか否かにより判断する。シャッターボタンが押下されたと判断した場合には、動画撮影処理を終了し、それまでの間にバッファメモリ上に展開されている動画データを用いて動画ファイルを生成し、メモリ・カード１２（記録手段）に記憶する。この機能は、本発明の第２の記録制御手段に相当する
【００２８】
一方、シャッターボタンが押下されていない場合は、動画撮影処理が開始してから３０秒経過したか否かを判断する。３０秒経過していない場合は動画撮影処理を継続し、３０秒経過した場合は、動画撮影処理を終了してそれまでの間にバッファメモリ上に展開されている動画データを用いて動画ファイルを生成し、メモリ・カード１２に記録する（第２の記録制御手段）。ここで、３０秒経過したか否かを判断するのは、動画撮影処理を開始してから３０秒経過するとバッファメモリがいっぱいになるため、新たな動画データを記憶することができないからである。
【００２９】
そして、ＤＳＰ／ＣＰＵ３は、動画データをメモリ・カード１２に記録すると、ＣＣＤ２による撮像を開始して、被写体のスルー画像を画像表示部１０に表示させ、ユーザのキー入力部９の操作によりシャッターボタンが押下されたか否かを判断する。この判断は、シャッターボタン押下に対応する操作信号がキー入力部９から送られて来たか否かにより判断する。
【００３０】
シャッターボタンが押下されていないと判断すると動画撮影モードを継続するか否かを判断する。この動画撮影モードの継続とは、動画撮影モードで動画撮影を行うことである。ユーザがキー入力部９を操作することにより動画撮影モードから他のモード（再生モード、静止画撮影モード等）に変更又は電源ＯＦＦにしない限り動画撮影モードは継続する。この動画撮影モードを継続するか否かの判断は、キー入力部９から撮影モードの変更等に対応する操作信号が送られてきたか否かにより判断する。動画撮影モードを継続すると判断した場合は、シャッターボタンが押下されるまでスルー画像表示を継続し、他の撮影モードに変更又は電源ＯＦＦ等に設定された場合は動画撮影モードを継続しないと判断し動画撮影モードを終了する。
【００３１】
そして、ＤＳＰ／ＣＰＵ３は、シャッターボタンが押下されたと判断した場合は、動画撮影処理を開始する（撮影制御手段）。つまり、ＣＣＤ２により、所定のフレームレート（１／３０秒の固定周期）で動画像（動画フレーム）を撮像しバッファメモリ（ＤＲＡＭ６）に記憶する。そして、再びユーザによりシャッターボタンが押下されたか否かを判断する。
【００３２】
シャッターボタンが押下されたと判断すると、動画撮影処理を終了し、それまでの間にバッファメモリ上に展開されている動画データを用いて動画ファイルを生成し、メモリ・カード１２に記憶し（第１の記録制御手段）、シャッターボタンが押下されてない場合は、動画撮影処理が開始してから３０秒経過したか否かを判断する。３０秒経過していない場合は動画撮影処理を継続し、３０秒経過した場合はそれまでの間にバッファメモリ上に展開されている動画データを用いて動画ファイルを生成し、メモリ・カード１２に記録する（第１の記録制御手段）。
そして、ＣＰＵ／ＤＳＰ３は、被写体のスルー画像表示を開始して、上記した動作を繰り返す。
【００３３】
フラッシュメモリ７、ＲＯＭ８には、ＤＳＰ／ＣＰＵ３の各部に必要な制御プログラム、つまり、ＡＥやＡＦ等を含む各種の制御に必要なプログラム、及び必要なデータが記録されており、ＤＳＰ／ＣＰＵ３は、前記プログラムに従い動作することにより本発明の撮影制御手段、記憶制御手段、第１の記録制御手段、第２の記録制御手段として機能する。
また、ＣＣＤ２、ＣＰＵ３、ＴＧ４、ユニット回路５は本発明の撮影手段に相当する。
以下、以上の構成からなるデジタルカメラ１における動作を説明する。
【００３４】
Ｂ．デジタルカメラ１の動作
第１の実施の形態におけるデジタルカメラ１の動作を図２のフローチャートに従って説明する。
ユーザのキー入力部９のモード設定キーの操作により撮影モードの設定が行われると、ステップＳ１で動画撮影モードに設定されたか否かを判断する。そして、動画撮影モードに設定されたと判断するとステップＳ２に進み、モード設定キーは操作されたが、動画撮影モードに設定されていない場合は動画撮影モードに設定されるまでステップＳ１に留まる。
次いで、ステップＳ２に進むと、ＣＣＤ２により、所定のフレームレート（１／３０秒の固定周期）で動画像（動画フレーム）を撮像しバッファメモリ（ＤＲＡＭ６）に記憶する動画撮影処理を開始する。
【００３５】
次いで、ステップＳ３に進み、ユーザによりシャッターボタンが押下されたか否かを判断する。シャッターボタンが押下された場合はステップＳ５に進み、押下されていない場合はステップ４に進み、動画撮影処理を開始してから３０秒経過したか否かを判断する。３０秒経過していない場合はステップＳ３に戻り、３０秒経過した場合にはステップＳ５に進む。３０秒経過したか否かを判断するのは、動画の撮影を３０秒も行うとバッファメモリがいっぱいになるため、新たな動画データを記憶することができないからである。
【００３６】
ステップＳ５に進むと、動画撮影処理を終了し、それまでの間にバッファメモリ上に展開されている動画データを用いて動画ファイルを生成し、メモリ・カード１２に記憶する。
次いで、ステップＳ６に進み、ＣＣＤ２による撮像を開始して、被写体のスルー画像を画像表示部１０に表示させる。
【００３７】
次いで、ステップＳ７に進み、シャッターボタンが押下されたか否かを判断する。シャッターボタンが押下された場合にはステップＳ９に進み、シャッターボタンが押下されていない場合はステップＳ８に進み、動画撮影モードを継続するか否かを判断する。この動画撮影モードの継続とは、動画撮影モードで動画の撮影を行うことである。ユーザがキー入力部９を操作することにより動画撮影モードから他のモード（再生モード、静止画撮影モード等）又は電源ＯＦＦに設定しない限り動画撮影モードは継続される。動画撮影モードを継続すると判断した場合はステップＳ７に戻り、動画撮影モードを継続しないと判断すると動画撮影モードを終了する。
ステップＳ７でシャッターボタンが押下されるとステップＳ９に進み、動画撮影処理を開始する。つまり、ＣＣＤ２により、所定のフレームレート（１／３０秒の固定周期）で動画像（動画フレーム）を撮像しバッファメモリ（ＤＲＡＭ６）に記憶する。
【００３８】
次いで、ステップＳ１０に進み、シャッターボタンが押下されたか否かを判断する。シャッターボタンが押下された場合にはステップＳ１２に進み、押下されていない場合はステップＳ１１に進み、動画撮影処理が開始されてから３０秒経過したか否かを判断する。３０秒経過していない場合はステップＳ１０に戻り、３０秒経過している場合にはステップＳ１２に進む。
ステップＳ１２に進むと、動画撮影処理を終了し、それまでの間にバッファメモリ上に展開されている動画データを用いて動画ファイルを生成し、メモリ・カード１２に記憶する。
そして、ステップＳ６に戻り、被写体のスルー画像表示を開始して、上記した動作を繰り返す。
【００３９】
Ｃ．このように、ユーザのキー入力部９の操作により動画撮影モードに設定されると、ＣＣＤ２により、所定のフレームレート（１／３０秒の固定周期）で動画像（動画フレーム）を撮像しバッファメモリ（ＤＲＡＭ６）に記憶する動画撮影処理を開始する。そして、ユーザによりシャッターボタンが押下されると動画撮影処理を終了し、撮影された動画データをメモリ・カード１２に記録する。そして、２回目以降の撮影は、ユーザのシャッターボタン押下の操作により動画撮影処理が開始し、シャッターボタン押下の操作により動画撮影処理が終了する。
この撮影は、動画撮影モードが継続していないと判断するまで（動画撮影モードが他のモードに切り換わる又は電源ＯＦＦ時まで）この動作を繰り返す。
【００４０】
Ｄ．以上のように、第１の実施の形態においては、ユーザがキー入力部９の操作により動画撮影モードに設定すると直ちに動画撮影処理を開始するので、シャッターチャンスを逃すことなく、ユーザが満足のいく動画を撮影することができる。
【００４１】
Ｅ．なお、動画撮影モードに設定すると直ちに動画撮影処理を開始するようにしたが、これに限らず、静止画撮影モードに設定すると直ちに静止画撮影処理を開始するようにしてもよい。これにより、シャッターチャンスを逃すことなく、ユーザが満足のいく静止画像を撮影することもできる。
【００４２】
［第２の実施の形態］
次に、第２の実施の形態について説明する。
第２の実施の形態は、動画撮影モードに切り替えた時点から動画撮影処理を開始し、バッファメモリいっぱいに動画データが記憶されたら、古い動画データを捨てていき、撮影された動画データを記憶していく。そして、ユーザがシャッターボタンを押下するとバッファメモリに記憶されている動画データをメモリ・カード１２に記録するというものである。
【００４３】
Ｆ．デジタルカメラ１の構成
第２の実施の形態も、図１に示したものと同様の構成を有するデジタルカメラ１を用いることにより本発明の撮影装置を実現する。
第２の実施の形態におけるデジタルカメラ１は、第１の実施の形態と以下の点で構成の機能が多少異なる。
【００４４】
ＤＳＰ／ＣＰＵ３は、ユーザのキー入力部９のモード設定キーの操作により撮影モードが設定されると、動画撮影モードに設定されたか否かを判断する。この判断は、動画撮影モードの設定に対応する操作信号がキー入力部９から送られてきたか否かにより判断する。
そして、動画撮影モードに設定されたと判断すると、ＣＣＤ２により、所定のフレームレート（１／３０秒の固定周期）で動画像（動画フレーム）を撮像しバッファメモリ（ＤＲＡＭ６）に記憶する動画撮影処理を開始する。
この画像データをバッファメモリに記憶する機能は、本発明の記憶制御手段に相当する。
【００４５】
ＤＳＰ／ＣＰＵ３は、動画撮影処理を開始すると、シャッターボタンが押下されたか否かを判断する。この判断は、ユーザのシャッターボタン押下の操作に対応する操作信号がキー入力部９から送られてきたか否かにより判断する。シャッターボタンが押下されたと判断した場合には、動画撮影処理を終了し、それまでの間にバッファメモリ上に展開されている動画データを用いて動画ファイルを生成してメモリ・カード１２に記録する（記録制御手段）。
【００４６】
一方、シャッターボタンが押下されていないと判断した場合は、動画撮影モードを継続するか否かを判断する。この動画撮影モードの継続とは、動画撮影モードで動画撮影を行うことである。ユーザがキー入力部９を操作することにより動画撮影モードから他のモード（再生モード、静止画撮影モード等）に変更又は電源ＯＦＦにしない限り動画撮影モードは継続する。この動画撮影モードを継続するか否かの判断は、キー入力部９から撮影モードの変更等に対応する操作信号が送られてきたか否かにより判断する。動画撮影モードを継続すると判断した場合はシャッターボタンが押下されるまで動画撮影処理を継続し、他の撮影モードに変更又は電源ＯＦＦ等に設定された場合は動画撮影モードを継続しないと判断し動画撮影モードを終了する。
【００４７】
ここで、第２の実施の形態における動画撮影処理は、撮影された動画データがバッファメモリいっぱいに記憶され、且つ、シャッターボタンが押下されていない場合は、バッファメモリに記憶されている古い動画データ（動画フレーム）を捨てていき、新に撮像された動画データを記憶（古い動画データ上の上書きを含む）していく(記憶制御手段)というものである。つまり、シャッターボタンが押下されるまでは、動画データをバッファメモリに記憶していく。
【００４８】
そして、ＤＳＰ／ＣＰＵ３は、シャッターボタンが押下されバッファメモリに記憶されている動画データをメモリ・カード１２に記録すると、再び動画撮影処理を開始して、上記した動作を繰り返す。つまり、ＣＣＤ２により、所定のフレームレート（１／３０秒の固定周期）で動画像（動画フレーム）を撮像しバッファメモリ（ＤＲＡＭ６）に記憶する。そして、バッファメモリいっぱいに動画データが記憶されると、古い動画データを捨てていき、新に撮像された動画データを記憶していく。そして、シャッターボタンが押下されると、それまでの間にバッファメモリ上に展開されている動画データを用いて動画ファイルを生成し、メモリ・カード１２に記録する（記録制御手段）。
動画撮影処理モードを継続しないと判断すると、動画撮影モードを終了する。
【００４９】
Ｇ．デジタルカメラ１の動作
次に、第２の実施の形態におけるデジタルカメラ１の動作を図３のフローチャート及び図４を用いて説明する。
ユーザのキー入力部９の撮影モード設定キーの操作により撮影モードの設定が行われると、ステップＳ２１で、動画撮影モードに設定されたか否かを判断する。動画撮影モードに設定されたと判断するとステップＳ２２に進み、モード設定キーは操作されたが、動画撮影モードに設定されていない場合は動画撮影モードに設定されるまでステップＳ２１に留まる。
次いで、ステップＳ２２に進むと、ＣＣＤ２により、所定のフレームレート（１／３０秒の固定周期）で動画像（動画フレーム）を撮像してバッファメモリ（ＤＲＡＭ６）に記憶する動画撮影処理を開始する。
【００５０】
次いで、ステップＳ２３に進み、ユーザによりシャッターボタンが押下されたか否かを判断する。シャッターボタンが押下された場合にはステップＳ２５に進み、シャッターボタンが押下されていない場合にはステップＳ２４に進み、動画撮影モード動画撮影モードを継続するか否かを判断する。この動画撮影モードの継続とは、動画撮影モードで再び動画の撮影を行うことである。ユーザがキー入力部９を操作することにより動画撮影モードから他のモード（再生モード、静止画撮影モード等）又は電源ＯＦＦに設定しない限り動画撮影モードは継続される。動画撮影モードを継続すると判断した場合はステップＳ２３に戻り、動画撮影モードを継続しないと判断すると動画撮影モードを終了する。
ここでの動画撮影処理においては、バッファメモリいっぱいに動画データが記憶されると、バッファメモリに記憶されている動画データの中で古い動画データ（動画フレーム）を捨てていき、新に撮像された動画データを記憶していく。
【００５１】
ここで、図４（ａ）は、バッファメモリいっぱいに動画データが記憶されたときのバッファメモリに記憶されている動画データの構造を示したものである。図を見てわかるように、動画データは複数の動画フレームから構成されている。ｔは時間軸を表わし、動画フレーム１０は最初に撮影されたときのフレーム、つまり、一番撮影時刻が古い動画フレームであり、黒く塗りつぶされたフレーム２０は、バッファメモリに記憶された最後のフレーム、つまり、一番撮影時刻が新しいフレームである。
【００５２】
バッファメモリいっぱいに動画データが記憶され、且つ、シャッターボタンが押下されていない場合には、最初に撮影された動画フレーム１０を消去する。図４（ｂ）は、そのときの動画データの様子を示した図であり、点線で表わされた動画フレームが消去された動画フレーム１０である。そして、図４（ｃ）に示すように新に撮影された動画フレーム（斜線部で表わされたフレーム）をバッファメモリに記憶する。
【００５３】
ここで、図４を用いて説明する際には、点線で表わされた動画フレームは消去された動画フレームを表わすものとし、斜線部で表わされた動画フレームはバッファメモリいっぱいに動画データが記憶されてから、新に記憶された動画フレームを表わすものとする。
そして、次に古いフレームを消去して、次に撮影されたフレームをバッファメモリに記憶する。図４（ｄ）を見ればわかるように、動画フレーム１０とその次の動画フレームが消去されており、動画フレーム２０の後に２つの動画フレームが記憶されているのがわかる。なお、古い動画フレームを消去するステップをふまずに新に撮影された動画フレームを古い動画フレームに上書きするようにしてもよい。つまり、新に動画フレームを撮影した際に、バッファメモリに記憶されている動画データの中で、一番撮影時刻の古い動画フレームに上書きする。
【００５４】
そして、また同様に、次に古いフレームを消去して、次に撮影されたフレームをバッファメモリに記憶する（図４（ｅ）参照）。このように、バッファメモリいっぱいに動画データが記憶され、且つ、シャッターボタンが押下されていない場合には、順次古いフレームを消去して新に撮影された動画フレームを記憶する。
ステップＳ２３でシャッターボタンが押下され、ステップＳ２５に進むと、動画撮影処理を終了し、それまでの間にバッファメモリ上に展開されている動画データを用いて動画ファイルを生成し、メモリ・カード１２に記録する。
【００５５】
ここで、図４（ｆ）はシャッターボタンが押下されたときの、バッファメモリ上に展開されている動画データを示した図である。
図４（ｆ）に示す動画データは、最初にバッファメモリいっぱいに記憶された動画データの開始フレーム１０から起算して８フレーム目まで（動画フレーム３０の前のフレームまで）消去され、最後のフレーム２０から８フレームの動画フレーム４０までが新に記憶されている。つまり、メモリ・カード１２に記録された動画データは、動画フレーム３０から動画フレーム４０までの動画データとなる。
【００５６】
なお、シャッターボタンが押下されたときの図４（ｆ）に示す動画データが記憶されているバッファメモリは図４（ｇ）のような構造となる。
そして、バッファメモリに記憶されている動画データをメモリ・カード１２に記録すると、ステップＳ２２に戻り動画撮影処理を開始し、上記した動作を繰り返す。
【００５７】
Ｈ．このように、ユーザのキー入力部９の操作により動画撮影モードに設定されると、ＣＣＤ２により、所定のフレームレート（１／３０秒の固定周期）で動画像（動画フレーム）を撮像しバッファメモリ（ＤＲＡＭ６）に記憶する動画撮影処理を開始する。そして、ユーザによりシャッターボタンが押下されると動画撮影処理を終了し、バッファメモリ上に展開されている動画データをメモリ・カード１２に記録する。
【００５８】
ここで、バッファメモリいっぱいに動画データが記憶され、且つ、シャッターボタンが押下されていない場合は、バッファメモリに記憶されている古い動画フレームを消去して、新に撮影された動画フレームを記憶していく。
そして、動画データをメモリ・カード１２に記録すると、また動画撮影処理を開始し上記した動作を繰り返す。この動作は、動画撮影モードを継続しないと判断するまで（動画撮影モードが他のモードに切り換わる又は電源ＯＦＦ時まで）行う。
【００５９】
Ｉ．以上のように第２の実施の形態においては、ユーザが動画撮影モードに設定すると、直ちに動画撮影処理を開始するので、シャッターチャンスを逃すことなく、ユーザが満足のいく動画を撮影することができる。
また、絶えず動画撮影処理を行い、シャッターボタンの押下により、バッファメモリに記憶されている動画データをメモリ・カード１２に記録するので、シャッターチャンスを逃すことなく、ユーザが満足のいく動画を撮影することができる。
【００６０】
[変形例]
第２の実施の形態の変形例として、以下のような態様も可能である。
第２の実施の形態においては、シャッターボタンを押下したときに、それまでにバッファメモリ上に展開されている動画データをメモリ・カード１２に記録することとしたが、シャッターボタンを押下したときから、次に押下されるまでに撮影された動画データをもメモリ・カード１２に記録するようにしてもよい。
Ｊ．以下、第２の実施の形態の変形例におけるデジタルカメラ１の動作を図５のフローチャート及び図６を用いて説明する。
【００６１】
ユーザのキー入力部９のモード設定キーの操作により撮影モードの設定が行われると、ステップＳ３１で、動画撮影モードに設定されたか否かを判断する。動画撮影モードに設定されたと判断するとステップＳ３２に進み、モード設定キーは操作されたが動画撮影モードに設定されていないと判断した場合は動画撮影モードに設定されるまでステップＳ３１に留まる。
次いで、ステップＳ３２に進むと、ＣＣＤ２より、所定のフレームレート（１／３０の固定周期）で動画像（動画フレーム）を撮像しバッファメモリ（ＤＲＡＭ６）に記憶する動画撮影処理を開始する。
【００６２】
次いで、ステップＳ３３に進み、シャッターボタンが押下されたか否かを判断する。押下された場合にはステップＳ３５に進み、押下されていない場合はステップＳ３４に進み、動画撮影モードを継続するか否かを判断する。動画撮影モードを継続すると判断した場合はステップＳ３３に戻り、動画撮影モードを継続しないと判断した場合は動画撮影モードを終了する。
ここでの動画撮影処理は、ステップＳ３３でシャッターボタンが押下されるまで又はステップＳ３４で動画撮影モードを継続しないと判断するまで、そのまま動画撮影処理を継続する。第２の実施の形態と同様に、バッファメモリいっぱいに動画データが記憶されると、古い動画フレームから消去して新に撮影された動画でフレームを記憶していく。
ここで、図６（ｈ）はシャッターボタンが押下されたときのバッファメモリに記憶されている動画データの構造を示した図である。動画フレーム５０は、バッファメモリに記憶されている動画フレームの中で一番撮影時刻が古い動画フレームであり、黒く塗りつぶされた動画フレーム６０は一番撮影時刻が新しい動画フレームである。ｔは時間軸を表わす。
【００６３】
ステップＳ３５に進むと、バッファメモリに記憶されている動画データの一部を消去して動画撮影処理を継続し、新たな動画データをバッファメモリに記憶する。このバッファメモリに記憶されている動画データの一部の消去とは、バッファメモリに記憶されている動画データの中で一番撮影時刻が新しい動画フレーム６０から数えて１１フレーム目以前の動画フレームを消去することをいう。
【００６４】
図６（ｉ）を用いて具体的に説明すると、一番撮影時刻の新しい動画フレーム６０から１１フレーム目以前の動画フレーム（動画フレーム７０の１つ前の動画フレーム）までが消去されており（点線で表わされたフレーム）、動画フレーム６０から１０フレーム前の動画フレーム７０までの動画データ（予め定められた動画データ）は、そのままバッファメモリに記憶されているのがわかる。
ここでは、一番撮影時刻の新しい動画フレームから１１フレーム目以前の動画フレームを消去することとしているが、５フレーム目以前、２０フレーム目以前等の予め定められたフレーム目以前の動画フレームを消去するようにしてもよい。
【００６５】
次いで、ステップＳ３６に進み、シャッターボタンが押下されたか否かを判断する。押下された場合はステップＳ３８に進み、押下されていない場合はステップＳ３７に進み、バッファメモリいっぱいに動画データが記憶されたか否かを判断する。ここで、バッファメモリいっぱいに動画データが記憶された場合とは、ステップＳ３５で動画データの一部のデータを消去してから新に撮影された動画データがバッファメモリに記憶されていき、バッファメモリに記憶された動画データを消去しなければ、これ以上新に撮影された動画データをバッファメモリに記憶することが出来ない状態のことをいう。そして、バッファメモリいっぱいに動画データが記憶されていないと判断した場合はステップＳ３６に戻り、バッファメモリいっぱいに動画データが記憶されたと判断した場合にはステップＳ３８に進む。
【００６６】
ステップＳ３６でシャッターボタンが押下されたと判断し又はステップＳ３７でバッファメモリがいっぱいと判断し、ステップＳ３８に進むと、動画撮影処理を終了し、それまでにバッファメモリ上に展開されていた動画データを用いて動画ファイルを生成し、メモリ・カード１２に記録する。
ここで、図６（ｊ）はステップＳ３４でシャッターボタンが押下されたときのバッファメモリ上に展開されている動画データを示した図である。
図６（ｊ）に示す動画データは、ステップＳ３３でシャッターボタンが押下されたときのバッファメモリに記憶されている動画データの中で一番撮影時刻が新しい動画フレーム６０から数えて１０フレーム目前の動画フレーム７０までの動画データと、ステップＳ３３でシャッターボタンが押下されてからステップＳ３４でシャッターボタンが押下されるまでに撮影された動画フレーム、つまり、動画フレーム８０から動画フレーム９０までの動画データ（斜線で表わされた部分）が記憶されている。
【００６７】
図６（ｋ）はステップＳ３７でバッファメモリいっぱいに動画データが記憶されたと判断したときのバッファメッモリ上に記憶されている動画データを示した図である。
図６（ｋ）に示す動画データは、ステップＳ３３でシャッターボタンが押下されたときのバッファメモリに記憶されている動画データの中で一番撮影時刻が新しい動画フレーム６０から数えて１０フレーム目前の動画フレーム７０までの動画データと、ステップＳ３３のシャッターボタンの押下からバッファメモリいっぱいになるまで撮影された動画データ、つまり、動画フレーム８０から動画フレーム１００までの動画データ（斜線で表わされた部分）が記憶されている。図を見てわかるように、消去された動画データ（動画フレーム５０から動画フレーム７０の１つ前の動画フレームまでの動画データ）と、新に撮影された動画データ（動画フレーム８０から動画フレーム１００までの動画データ）とは動画フレームの数（量）が同じであることがわかる。
【００６８】
なお、ステップＳ３３でシャッターボタンが押下された場合には、バッファメモリに記憶されている動画データの中で一番撮影時刻の新しい動画フレームから、１１フレーム目前の以前の動画フレームを消去することとしたが、消去するステップをふまずに新に撮影された動画フレームを撮影時刻の一番古い動画フレーム順に上書きするようにしてもよい。この場合は、一番撮影時刻の古い動画フレーム５０から動画フレーム７０（一番撮影時刻が新しい動画フレーム６０から数えて１０番目に新しい動画フレーム）の１つ古い動画フレームまで順に上書きを行い、動画フレーム７０より１つ古い動画フレームまで上書きを行うとバッファメモリいっぱいに動画データが記憶されたと判断し、これ以上撮影により得られた動画データを記憶することができないと判断する。つまり、一番撮影時刻が新しい動画フレーム６０から数えて１０フレーム目の動画フレーム７０までの動画データ（予め定められた動画データ）に対しては上書きを行わない。
以下、動画データの上書きについて具体的に説明する。
【００６９】
図６（ｌ）はステップＳ３６でシャッターボタンが押下されたときのバッファメモリ上に展開されている動画データを示した図である。図（ｌ）の動画フレーム８０から動画フレーム９０までの動画データ（斜線で表わされた部分）は、ステップＳ３３のシャッターボタン押下からステップＳ３６のシャッターボタン押下の間に新に撮影された動画データである。つまり、ステップＳ３３のシャッターボタンが押下されたときのバッファメモリ上に展開されている動画データ（図６（ｈ）参照）に、動画フレーム８０から動画フレーム９０までの動画データを撮影時刻の古い動画フレーム５０から順に上書きする。この図６（ｌ）に示す動画データは、図６（ｊ）に対応するものであるが、図（ｌ）に示す動画データはステップＳ３３のシャッターボタンが押下されたときに一番撮影時刻の新しかった動画フレーム６０から数えて１０フレーム目の動画フレーム７０より撮影時刻の古い動画フレームも記憶されている。つまり、動画フレーム７０から数えてさらに４番目に古い動画フレームまでもが記憶されている。上書きの場合は動画フレームを消去しないためである。
【００７０】
これに対して、ステップＳ３６でシャッターボタンが押下されない場合は、動画撮影の処理を継続して行う。このとき、ステップＳ３３のシャッターボタンの押下により新に撮影された動画フレームが図６（ｈ）に示す動画データの中で一番撮影時刻が古い動画フレーム５０から順に上書きがされていき、動画フレーム６０から１０フレーム目前まで、つまり、動画フレーム７０の１つ前の動画フレームまで上書きされた場合は（図６（ｍ）参照）これ以上新に撮影された動画フレームを記憶することができないと判断する。
図６（ｍ）は、図６（ｋ）に対応するものである。つまり、両図を見てわかるように、図６（ｋ）の消去されている動画フレーム（点線で表わされた部分）を消去せずに新に撮影された動画フレーム８０から動画フレーム１００までの動画データが上書きされていることがわかる。
【００７１】
ステップＳ３６でシャッターボタンが押下されたと判断し又はステップＳ３７でバッファメモリいっぱいに動画データが記憶されたと判断した場合には、ステップＳ３８に進み、バッファメモリ上に記憶されている動画データをメモリ・カード１３に記録する。そして、ステップＳ３２に戻り動画撮影処理を継続する。
【００７２】
この動作をユーザから見ると、シャッターボタンの押下と同時に被写体の動画撮影処理を開始し、シャッターボタンの押下と同時に動画撮影処理を終了することになるが、記録される動画データは、動画撮影の開始であるシャッターボタンの押下前に撮影された所定の動画データと、動画撮影の開始であるシャッターボタンの押下から動画撮影の終了であるシャッターボタンが押下されるまでに撮影された動画データとなる。
これにより、ステップＳ３２のシャッターボタンの押下より前に撮影された動画データ（動画フレーム）をメモリ・カード１２に記録することができるので、ユーザはシャッターチャンスを逃すことなく、動画撮影を行うことができ、ユーザの満足する動画撮影を行うことができる。
【００７３】
また、第１の実施の形態に第２の実施の形態を組み合わせるようにしてもよい。
具体的に説明すると、第１の実施の形態により動画撮影処理が開始された場合において、バッファメモリいっぱいに動画データが記憶された場合は、撮影時刻の古い動画フレームを消去して、新に撮影された動画フレームを記憶するようにしてもよい。
つまり、図２のフローチャートでステップＳ３、ステップＳ１０の処理が必要でなくなる。３０秒経過しても、古い動画フレームを消去することにより新に撮影された動画フレームを記憶することができるからである。
【００７４】
また、第１の実施の形態において、動画撮影モードに設定されたと判断すると、撮影した動画データをそのままメモリ・カード１３に記録していくようにしてもよい。この場合は、図２のフローチャートのステップＳ２とステップＳ９は、動画データ撮影・記録処理開始になり、ステップＳ４とステップＳ１１は、メモリ・カード１２一杯に動画データが記録されたか否かを判断することとなり、ステップＳ５とステップＳ１２は、省略されることになる。そして、メモリ・カード１２が一杯と判断するとステップ４の場合はステップＳ６へ、ステップＳ１１の場合はステップＳ６へ進む。一方、メモリ・カード１２が一杯でないと判断するとステップＳ４の場合はステップＳ３に、ステップＳ１１の場合はステップＳ１０に戻る。そして、ステップＳ３、ステップＳ１０でシャッターボタンが押下されたと判断するとステップ３の場合はステップＳ６へ、ステップＳ１０の場合はステップＳ６へ進む。
【００７５】
なお、上記各実施の形態における撮影装置は、上記の実施の形態に限定されるものではなく、カメラ付き携帯電話、ＰＤＡ、パソコン等、又はデジタルビデオカメラ等でもよく、要は被写体を撮影することができる機器であれば何でもよい。
【図面の簡単な説明】
【００７６】
【図１】本発明の実施の形態のデジタルカメラのブロック図である。
【図２】第１の実施の形態のデジタルカメラの動作を示すフローチャートである。
【図３】第２実施の形態のデジタルカメラの動作を示すフローチャートである。
【図４】バッファメモリに記憶されている動画データの構造を示す図である。
【図５】変形例におけるデジタルカメラの動作を示すフローチャートである。
【図６】バッファメモリに記憶されている動画データの構造を示す図である。
【符号の説明】
【００７７】
１      デジタルカメラ
２      ＣＣＤ
３      ＤＳＰ／ＣＰＵ
４      ＴＧ
５      ユニット回路
６      ＤＲＡＭ
７      フラッシュメモリ
８      ＲＯＭ
９      キー入力部
１０    画像表示部
１１    カードＩ／Ｆ
１２    メモリ・カード
【図１】
2005223557.tif 000003
【図２】
2005223557.tif 000004
【図３】
2005223557.tif 000005
【図４】
2005223557.tif 000006
【図５】
2005223557.tif 000007
【図６】
2005223557.tif 000008